(57)【特許請求の範囲】
【請求項１】
天板部の周縁から垂下されるスカート壁の下端に複数個の破断可能なブリッジを介してタンパーエビデンスバンドが連結されるとともに、そのスカート壁の内面には、壜口の外周に沿って形成された雄螺子部に螺合される雌螺子部が形成され、また、前記雌螺子部の上端によって周縁に設けられたフランジ部が持ち上げられ開栓されるパッキンが前記壜口を密封するようにしたピルファープルーフキャップにおいて、前記雌螺子部の上端を、前記パッキンのフランジ部の下面と平行となるように形成し、前記雌螺子部の上端及び前記パッキンのフランジ部の下面を、水平面とほぼ平行な面としてあることを特徴とするピルファープルーフキャップ。
【発明の詳細な説明】
【０００１】
【発明の属する技術分野】
本発明は、ピルファープルーフキャップに関する。
【０００２】
【従来の技術】
従来のピルファープルーフキャップとして、天板部の周縁から垂下されるスカート壁の下端に破断可能なブリッジを介してタンパーエビデンスバンド（以下、ＴＥバンドという）を連結し、そのスカート壁の内面に、壜口の雄螺子部に螺合される雌螺子部を形成し、その雌螺子部の上端によって周縁に設けられたフランジ部が持ち上げられ開栓されるパッキンが壜口を密封するようにしたものがある。
【０００３】
【発明が解決しようとする課題】
しかし、上記のような従来のピルファープルーフキャップでは、前記雌螺子部の上端とパッキンとの接触が点接触であったことから、キャップの開栓に伴うパッキン持ち上げの安定性が悪いという問題があった。このため、初期状態からブリッジが切れるまでのキャップの回転角度（以下、ブリッジ角度という）と、初期状態からパッキンが持ち上げられて開栓されるまでのキャップの回転角度（以下、シール角度という）との相対的な関係が保証されず、シール角度がブリッジ角度よりも小さくなると、前記ＴＥバンドがスカート壁に連結された状態で気密漏れが発生してしまい、ピルファープルーフとしての役目が果たせなくなってしまう。
【０００４】
本発明は上述の事柄に留意してなされたもので、その目的は、初期状態からブリッジが破断するまでのキャップの回転角度と、初期状態からパッキンが持ち上げられ開栓されるまでのキャップの回転角度との相対的な関係を保証することが可能なピルファープルーフキャップを提供することである。
【０００５】
【課題を解決するための手段】
上記目的を達成するために、本発明のピルファープルーフキャップは、天板部の周縁から垂下されるスカート壁の下端に複数個の破断可能なブリッジを介してタンパーエビデンスバンドが連結されるとともに、そのスカート壁の内面には、壜口の外周に沿って形成された雄螺子部に螺合される雌螺子部が形成され、また、前記雌螺子部の上端によって周縁に設けられたフランジ部が持ち上げられ開栓されるパッキンが前記壜口を密封するようにしたピルファープルーフキャップにおいて、前記雌螺子部の上端を、前記パッキンのフランジ部の下面と平行となるように形成し、前記雌螺子部の上端及び前記パッキンのフランジ部の下面を、水平面とほぼ平行な面としてある（請求項１）。
【０００６】
上記の構成により、初期状態からブリッジが破断するまでのキャップの回転角度と、初期状態からパッキンが持ち上げられ開栓されるまでのキャップの回転角度との相対的な関係を保証することが可能なピルファープルーフキャップを提供することができる。
【０００７】
【発明の実施の形態】
以下、本発明に対応する実施例を、図を参照しながら説明する。
図１は、本発明の第一実施例に係るピルファープルーフキャップ（以下、キャップという）Ｄの構成を概略的に示す縦断面図である。
１は、天板部、２は、天板部１の周縁から垂下されたスカート壁、３は、スカート壁２の下端に形成される破断可能なブリッジ、４は、そのブリッジ３を介してスカート壁２に接続されたＴＥバンド、５は、ＴＥバンド４の下端から内方に折り返された抜け止め用の係止片で、たとえば連続蛇腹状に形成されて壜口６（図２参照）の下部外周に突設された掛止突縁７（図２参照）に下方から係止し、開栓時にブリッジ３が破断されるときにそのＴＥバンド４を抜け止め状に保持する。
【０００８】
上述のスカート壁２の内面には、壜口６の外周に形成された雄螺子部８（図２参照）に螺合する雌螺子部９が形成され、また、前記雌螺子部９の上端１０（図３参照）によって持ち上げられ開栓されるパッキン１１が壜口６を密封している。そのパッキン１１は気密性を向上させるために壜口６の口部内に密嵌挿入される所定長さの中足１２を有し、かつその天面１３の外周縁にはフランジ部１４が突設形成されている。
【０００９】
図２（Ａ）および（Ｂ）は、キャップＤの初期状態および開栓途中の状態を概略的に示す縦断面図である。
図２（Ａ）に示す初期状態にあるキャップＤを開栓するには、キャップＤを回動操作するだけでよい。キャップＤを所定の方向に回動させると、まず前記ブリッジ３が破断し、その後さらに同様の回動を加えると、図２（Ｂ）に示すように、キャップＤの雌螺子部９の上端１０が前記フランジ部１４に下方から当接してパッキン１１が持ち上げられることになる。
そのため、全てのブリッジ３が破断されるまで、前記中足１２によって気密性が保持され、全ブリッジ３が破断されて初めてパッキン１１を完全に持ち上げて開栓することができる構成となっている。
【００１０】
図３（Ａ）および（Ｂ）は、前記雌螺子部９の上端１０の構成を概略的に示す正面および側面からの部分拡大縦断面図である。
開栓時には、キャップＤの雌螺子部９の上端１０がパッキン１１のフランジ部１４に当接してこれを押し上げるが、前記上端１０をパッキン１１のフランジ部１４の下面と平行となるように形成したことから、雌螺子部９の上端１０とパッキン１１のフランジ部１４の下面との接触が、図４の点線部分１５に示すように、点接触よりも接触面積が大きい面接触となり、キャップＤは、開栓時に、ほぼ平行にかつがたつくことなく上方に上がっていくことになる。このため、ブリッジ３が破断されてからパッキン１１が持ち上げられて開栓されるまでのキャップＤの回転角度（シール角度）はおよそ一定のものとなり、安定した開栓を行うことが可能となる。
【００１１】
上記の構成からなるピルファープルーフキャップＤによれば、初期状態からブリッジ３が破断するまでのキャップＤの回転角度（ブリッジ角度）と、初期状態からパッキン１１が持ち上げられ開栓されるまでのキャップＤの回転角度（シール角度）との相対的な関係が保証されることになる。
【００１２】
上記の構成からなるピルファープルーフキャップＤによれば、パッキン１１のフランジ部１４に接触するキャップＤの雌螺子部９の面積が大きくなることから、パッキン１１がキャップＤの雌螺子部９から抜け落ちるという可能性を極めて低くすることが可能となる。
【００１３】
上記の構成からなるピルファープルーフキャップＤにおいて、前記スカート壁２の内面に形成された雌螺子部９および壜口６の外周に形成された雄螺子部８は、一条に限るものではなく、たとえば二条としてもよい。二条以上とした場合には、雌螺子部９の上端１０とパッキン１１のフランジ部１４の下面との接触面積が増えるとともに、接触する箇所が増加するため、キャップＤの開栓時の挙動がより安定することとなる。
【００１４】
【発明の効果】
上記の構成からなる本発明によれば、初期状態からブリッジが破断するまでのキャップの回転角度と、初期状態からパッキンが持ち上げられ開栓されるまでのキャップの回転角度との相対的な関係を保証することが可能なピルファープルーフキャップを提供することができる。
【図面の簡単な説明】
【図１】  本発明の第一実施例に係るピルファープルーフキャップの構成を概略的に示す縦断面図である。
【図２】  （Ａ）および（Ｂ）は、上記実施例におけるピルファープルーフキャップの初期状態および開栓途中の状態を概略的に示す縦断面図である。
【図３】  （Ａ）および（Ｂ）は、上記実施例におけるピルファープルーフキャップの雌螺子部の上端の構成を概略的に示す正面および側面からの部分拡大縦断面図である。
【図４】  上記実施例におけるピルファープルーフキャップの構成を概略的に示す横断面図である。
【符号の説明】
１…天板部、２…スカート壁、３…ブリッジ、４…タンパーエビデンスバンド、６…壜口、８…雄螺子部、９…雌螺子部、１０…上端、１１…パッキン、１４…フランジ部、Ｄ…ピルファープルーフキャップ。
【図１】
0004678742.tif 000002
【図２】
0004678742.tif 000003
【図３】
0004678742.tif 000004
【図４】
0004678742.tif 000005